(57)【要約】【課題】十分な組積強度を実現し、目地の変形をなくする。【解決手段】セメントモルタル製の長尺の板材１１と、板材１１の一辺に沿って両面に対称的に付設するクッション材１２、１２とを設ける。【選択図】図１
2008106438.tif 000002
【特許請求の範囲】
【請求項１】
目地相当の厚さを有するセメントモルタル製の長尺の板材と、該板材の一辺に沿って両面に対称的に付設するクッション材とを備えてなり、該クッション材は、前記板材の幅の１／４〜１／２相当の幅を有することを特徴とするブロック用の目地材。
【請求項２】
前記板材は、ガラス粉を細骨材とすることを特徴とする請求項１記載のブロック用の目地材。
【請求項３】
前記板材には、芯材を長さ方向に埋設することを特徴とする請求項１または請求項２記載のブロック用の目地材。
【発明の詳細な説明】
【技術分野】
【０００１】
この発明は、コンクリートブロック、レンガ、切石等の建築用ブロック（以下、単にブロックという）の組積工事に際し、ブロック間の目地を容易に形成することができるブロック用の目地材に関する。
【背景技術】
【０００２】
ブロックの組積工事に際し、従来のモルタルによる湿式工事に代えて、乾式工事により簡単に美麗な目地を形成するための目地材が提案されている（特許文献１）。
【０００３】
目地材は、たとえば可撓性を有する発泡体製の板材の各面に両面テープを一体に貼着して構成されている。そこで、目地材を挟みながらブロックを多段に積み上げると、板材の厚さ相当の目地をブロック間に形成するとともに、目地材の両面テープを介して各段のブロックを一体に接着することができる。
【特許文献１】特開２００１−３４８７号公報
【発明の開示】
【発明が解決しようとする課題】
【０００４】
かかる従来技術によるときは、各段のブロックは、両面テープを介して接着されているから、接着力が十分でなく、組積後の全体強度が不足しがちであるという問題があった。また、目地を形成する板材は、発泡体であるから、ブロックの重量によるクリープが避けられず、時間の経過とともに目地が小さくなったり、消滅したり、不整を生じたりすることが避けられないという問題もあった。
【０００５】
そこで、この発明の目的は、かかる従来技術の問題に鑑み、セメントモルタル製の板材の両面にクッション材を付設することによって、強力な接着剤を併用して必要十分な組積強度を実現するとともに、板材のクリープに起因する目地の変形が全くないブロック用の目地材を提供することにある。
【課題を解決するための手段】
【０００６】
かかる目的を達成するためのこの発明の構成は、目地相当の厚さを有するセメントモルタル製の長尺の板材と、板材の一辺に沿って両面に対称的に付設するクッション材とを備えてなり、クッション材は、板材の幅の１／４〜１／２相当の幅を有することをその要旨とする。
【０００７】
なお、板材は、ガラス粉を細骨材とすることができ、板材には、芯材を長さ方向に埋設することができる。
【発明の効果】
【０００８】
この発明の構成によるときは、板材は、下面のクッション材から露出する部分に強力な接着剤を点状に付け、接着剤を介して下段のブロック上に接着した上、上面にも同様に接着剤を付けて、上段のブロックを積み上げることができるから、組積後のブロックの全体強度を十分大きくすることができる。なお、セメントモルタル製の板材は、クリープを生じることがなく、目地の変化を生じることもない。また、接着剤による接着工事であるから、乾式工事が可能であり、モルタル工事のような有害な白華現象を生じるおそれもない。接着剤は、接着効果、充填効果の双方が得られるコンクリート用ボンドが好適であり、たとえばコニシ（株）製のボンドＫ１２０やボンドＥ２００などを使用することができる。ただし、板材は、幅約２０mm、厚さ約８mmに形成し、目地材は、厚さ１００〜１２０mmの標準的なブロックに対し、各ブロックの対向する長辺のそれぞれに沿わせるようにして、２条１組にして使用することにより、組積後のブロックの両面に約８mmの目地（横目地）を形成することができる。
【０００９】
一方、クッション材は、たとえば極く軟らかい独立気泡のポリエチレンフォームまたはウレタンフォームなどであって、無負荷状態の厚さ約１０mmとし、ブロックの重量により厚さ１mm以下にまで十分圧縮し得るものが好ましい。クッション材は、十分な薄さに圧縮させることにより、板材とブロックとの間に適切な厚さの接着剤の層を形成することができる。なお、クッション材の幅は、板材の幅の１／２を超えると、接着剤を板材の幅の中央に付けることができなくなり、板材の幅の１／４未満であると、接着時に目地材が安定しない傾向がある。
【００１０】
板材は、ガラス粉を細骨材とすることにより、空きびんや窓ガラスなどの廃ガラスを有効に再利用することができる。また、板材は、長さ方向に芯材を埋設することにより、取扱い中に有害なひびや折れを生じることを防止する。なお、芯材は、鉄などの金属芯の他、硬質塩化ビニルなどの合成樹脂芯としてもよい。
【発明を実施するための最良の形態】
【００１１】
以下、図面を以って発明の実施の形態を説明する。
【００１２】
ブロック用の目地材１０は、長尺の板材１１の両面にクッション材１２、１２を付設してなる（図１）。
【００１３】
板材１１は、セメントモルタル製であり、内部に芯材１３が全長に亘って埋設されている。なお、板材１１の細骨材は、砂の他、ガラス粉を使用してもよい。また、芯材１３は、金属芯または合成樹脂芯である。ただし、芯材１３は、図示の丸棒材に代えて、角棒材や、放射状のひれを有する異形断面材としてもよい。
【００１４】
クッション材１２、１２は、板材１１の長さ方向の一辺に沿って、板材１１の両面に対称的に付設されている。クッション材１２の幅ｂは、板材１１の幅ａに対し、ｂ＝（１／４〜１／２）ａに設定されている。
【００１５】
かかる目地材１０は、上下のブロックＢ、Ｂ間に２条１組を介在させることにより（図２）、組積後のブロックＢ、Ｂ間にほぼ板材１１の厚さ相当の目地（横目地）２１、２１を形成することができる。ただし、図２（Ａ）、（Ｂ）は、それぞれ組積過程を示す分解断面模式図、組積後の断面模式図である。なお、図２において、上下のブロックＢ、Ｂは、それぞれ図示しない縦目地を作りながら所定個数を紙面の垂直方向に連結するものとし、各目地材１０は、そのようにして連結する複数のブロックＢ、Ｂ…の全長に亘って連続しているものとする。
【００１６】
目地材１０、１０は、下段のブロックＢの上面に対し、ブロックＢの各長辺に沿って、ブロックＢの側面から目地２１の深さ相当だけ後退させて接着する（図２（Ａ））。ただし、接着用の接着剤２２は、クッション材１２から露出する板材１１の下面の幅方向のほぼ中央に対し、長さ方向に点状に付けるものとする。つづいて、板材１１の下面側のクッション材１２を圧縮しながら下のブロックＢ上に目地材１０、１０を接着し、各板材１１の上面に対して図示しない接着剤２２を下面側の接着剤２２とほぼ対称に付け、上段のブロックＢを目地材１０、１０の上に積む（図２（Ｂ））。このとき、各目地材１０の上下のクッション材１２、１２は、上のブロックＢの重量によって十分に圧縮され、板材１１の厚さにほぼ相当する目地２１を作ることができる。なお、接着用の接着剤２２は、板材１１の下面、上面に対し、線状に付けてもよい。また、接着剤２２は、必要な接着強度を得るために、十分な高さに盛ることが好ましい。
【００１７】
同一段のブロックＢ、Ｂ間の縦目地は、各ブロックＢの端面にほぼ相当する目地材３０を使用して形成する（図３）。ただし、図３（Ａ）、（Ｂ）は、それぞれ全体斜視図、同図（Ａ）のＸ−Ｘ線矢視相当拡大断面図である。
【００１８】
目地材３０は、切欠き３１ａ付きの四角形の板材３１の３辺に沿って、それぞれクッション材３２、３２を両面に対称に付設して構成されている。ただし、板材３１、各クッション材３２の厚さ、性状は、それぞれ板材１１、クッション材１２と同等である。
【００１９】
目地材３０は、隣接する同一段のブロックＢ、Ｂ間に挟み込むことにより、ブロックＢ、Ｂ間に縦目地２３を作ることができる（図４）。ただし、図４（Ａ）、（Ｂ）は、それぞれ図２（Ａ）、（Ｂ）相当の模式図である。なお、このときも、板材３１の両面に対し、各辺のクッション材３２、３２に沿うようにして、接着用の接着剤を点状または線状に付けて、両面のクッション材３２、３２…を十分に圧縮させながら、目地材３０を介してブロックＢ、Ｂを接着するものとする。板材３１は、各ブロックＢの端面に対し、クッション材３２、３２を付設する各辺が縦目地２３の深さ相当だけ小さく形成されている。
【００２０】
目地材１０、３０を使用して、レンガのブロックＢ、Ｂ…を枠状に長手積みに組積して花壇用の枠組を作る手順を図５（Ａ）〜（Ｅ）に例示する。
【００２１】
まず、目地材３０、３０…を挟みながら、一段目のブロックＢ、Ｂ…を地上に枠状に敷設する（図５（Ａ））。なお、各目地材３０は、切欠き３１ａを上にして使用する。つづいて、一段目のブロックＢ、Ｂ…上の角部を除く各直線部分に２条１組の目地材１０、１０を接着し（同図（Ｂ））、各角部に目地材３０を接着する。このとき、各目地材３０の切欠き３１ａは、内側に向けるものとする。同様にして、２段目以降のブロックＢ、Ｂ…を順に積み（同図（Ｃ））、最上段まで積み進めて（同図（Ｄ））、完成させればよい（同図（Ｅ））。ただし、最上段のブロックＢ、Ｂ…間の目地材３０は、切欠き３１ａを下向きにして使用するものとする。
【００２２】
以上の説明において、目地材１０、３０は、レンガの他、各種の化粧ブロックを含むコンクリートブロックや、大谷石、花崗岩などの切石の組積工事に際しても、好適に使用することができる。また、目地材３０は、全体形状を適切に変形することにより、道路などの縁石やインターロックタイルなどの縦目地を形成するときにも適用することができる。
【図面の簡単な説明】
【００２３】
【図１】要部構成斜視図
【図２】使用状態説明図（１）
【図３】他の実施の形態を示す構成説明図
【図４】使用状態説明図（２）
【図５】使用状態説明図（３）
【符号の説明】
【００２４】
Ｂ…ブロック
１０、３０…目地材
１１、３１…板材
１２、３２…クッション材
１３…芯材
２１、２３…目地
特許出願人          目地工業株式会社
代理人  弁理士        松  田  忠  秋
【図１】
2008106438.tif 000003
【図２】
2008106438.tif 000004
【図３】
2008106438.tif 000005
【図４】
2008106438.tif 000006
【図５】
2008106438.tif 000007